(57)【要約】      （修正有）【課題】マルチアンテナステーションの複数のアンテナに接続された複数のリモートフロントエンドにおいて、アンテナとトランシーバーの間の長い接続に起因する信号の損失による、システム性能の劣化を防止する。【解決手段】各リモートフロントエンドは電力増幅器（ＰＡ）、低雑音増幅器（ＬＮＡ）、第１および第２のカップリングユニットを含む。送信パス上で、第１のＲＦ信号は第１のポートを介して受信され、第１のカップリングユニットにより電力増幅器に送られ、増幅され所望の出力電圧レベルを取得し、第２のカップリングユニットにより第２のポートに送られ、アンテナを介して送信される。受信パス上で、第２のＲＦ信号を第２のポートを介して受信され、第２のカップリングユニットによりＬＮＡに送られ、増幅されてより高い信号レベルを取得し、第１のカップリングユニットにより第１のポートに送られトランシーバー１３０に送信される。【選択図】図１
2010193462.tif 000002
【特許請求の範囲】
【請求項１】
第１の無線周波数（ＲＦ）信号を受信して増幅し、第１の増幅されたＲＦ信号を供給するための第１の増幅器と、
第２のＲＦ信号を受信して増幅し、第２の増幅されたＲＦ信号を供給するための第２の増幅器と、
第１のポートからの前記第１のＲＦ信号を前記第１の増幅器に接続し、前記第２の増幅器からの前記第２の増幅されたＲＦ信号を前記第１のポートに接続するための第１の接続ユニットと、
前記第１の増幅器からの前記第１の増幅されたＲＦ信号を第２のポートに接続し、前記第２のポートからの前記第２のＲＦ信号を前記第２の増幅器に接続するための第２の接続ユニットと、
を備えた装置。
【請求項２】
前記第１および第２の接続ユニットはスイッチである、請求項１の装置。
【請求項３】
前記第１および第２の接続ユニットは、送信部分の期間前記第１のポートからの前記第１のＲＦ信号を前記第１の増幅器に接続し、前記第１の増幅器からの前記第１の増幅されたＲＦ信号を前記第２のポートに接続し、さらに、受信部分の期間前記第２のポートからの前記第２のＲＦ信号を前記第２の増幅器に接続し、前記第２の増幅器からの前記第２の増幅されたＲＦ信号を前記第１のポートに接続する、請求項１の装置。
【請求項４】
前記第１および第２の接続ユニットはデュプレクサーである、請求項１の装置。
【請求項５】
前記第１の増幅器は電力増幅器（ＰＡ）である、請求項１の装置。
【請求項６】
前記第２の増幅器は低雑音増幅器（ＬＮＡ）である、請求項１の装置。
【請求項７】
前記第１の増幅器、前記第２の増幅器、または前記第１の増幅器と前記第２の増幅器の両方は、通信のために使用されないときディスエーブルされる、請求項１の装置。
【請求項８】
前記第１の増幅器は受信部分の期間にディスエーブルされ、前記第２の増幅器は送信部分の期間にディスエーブルされる、請求項１の装置。
【請求項９】
前記第２のポートは前記ステーション内の前記複数のアンテナの１つに接続される、請求項１の装置。
【請求項１０】
前記第１のポートは前記ステーション内のトランシーバーに接続される、請求項１の装置。
【請求項１１】
前記第１および第２のポートは異なるタイプのコネクターに接続される、請求項１の装置。
【請求項１２】
前記第１および第２のポートは相補型のコネクターに接続される、請求項１の装置。
【請求項１３】
前記第１および第２の増幅器および前記第１および第２の接続ユニットはＲＦ集積回路（ＲＦＩＣ）上に作られる、請求項１の装置。
【請求項１４】
前記第１および第２の増幅器および前記第１および第２の接続ユニットはガリウムヒ素（ＧａＡｓ）集積回路（ＩＣ）上に作られる、請求項１の装置。
【請求項１５】
第１の無線周波数（ＲＦ）信号を増幅し第１の増幅されたＲＦ信号を発生する手段と、
第２のＲＦ信号を増幅し第２の増幅されたＲＦ信号を発生する手段と、
第１のポートからの前記第１のＲＦ信号を前記第１のＲＦ信号を増幅する手段に接続する手段と、
前記第１の増幅されたＲＦ信号を第２のポートに接続する手段と、
前記第２のポートからの前記第２のＲＦ信号を前記第２のＲＦ信号を増幅する手段に接続する手段と、
前記第２の増幅されたＲＦ信号を前記第１のポートに接続する手段と、
を備えた装置。
【請求項１６】
前記第１のＲＦ信号を接続する手段および前記第１の増幅されたＲＦ信号を接続する手段は送信部分の期間アクティブであり、前記第２のＲＦ信号を接続する手段および前記第２の増幅されたＲＦ信号を接続する手段は受信部分の期間アクティブである、請求項１５の装置。
【請求項１７】
前記第１のＲＦ信号を増幅する手段をディスエーブルする手段と、
前記第２のＲＦ信号を増幅する手段をディスエーブルする手段と、
をさらに備えた、請求項１５の装置。
【請求項１８】
複数のアンテナを備えたステーションにおいて、
各トランシーバーが関連するアンテナを介して送受信される無線周波数（ＲＦ）信号に対して信号処理を実行する複数のトランシーバーと、
各リモートフロントエンドは関連するトランシーバーおよび関連するアンテナに接続され、各リモートフロントエンドは前記関連するトランシーバーから受信された第１のＲＦ信号を増幅し、前記関連するアンテナから送信するために第１の増幅されたＲＦ信号を発生し、さらに、前記関連するアンテナから受信された第２のＲＦ信号を増幅し、前記関連するトランシーバーに送信するために第２の増幅されたＲＦ信号を発生する複数のリモートフロントエンドと、
を備えたステーション。
【請求項１９】
各ケーブルが１つのトランシーバーを前記関連するリモートフロントエンドに接続する複数のケーブルをさらに備えた、請求項１８のステーション。
【請求項２０】
前記複数のケーブルの各々は、前記トランシーバーと前記関連するリモートフロントエンドとの間で、前記第１のＲＦ信号と前記第２の増幅されたＲＦ信号を運ぶ第１のケーブルを備えた、請求項１９のステーション。
【請求項２１】
前記第１のケーブルはさらに前記関連するリモートフロントエンドのためのＤＣ電力を運ぶ、請求項２０のステーション。
【請求項２２】
前記複数のケーブルの各々はさらに、前記関連したリモートフロントエンドのための少なくとも１つの制御信号を運ぶための第２のケーブルを備えた、請求項２０のステーション。
【請求項２３】
前記第１および第２のケーブルは一緒に束ねられる、請求項２２のステーション。
【請求項２４】
前記複数のトランシーバーは対に構成され、各対のトランシーバーは別個のモジュールとして実施される、請求項１８のステーション。
【請求項２５】
前記各対のトランシーバーのためのモジュールは、前記対内のトランシーバーのための局部発振器（ＬＯ）信号を発生するための発振器を備えた、請求項２４のステーション。
【請求項２６】
複数のモジュールは複数の対のトランシーバーに対して実施され、１つのモジュールが指定され複数のモジュール内のすべてのトランシーバーのための局部発振器（ＬＯ）信号を発生する、請求項２４のステーション。
【請求項２７】
複数のアンテナを備えたステーションにおいて、
前記複数のアンテナを介して送受信される無線周波数（ＲＦ）信号のために信号処理を実行する手段と、
前記信号処理を実行する手段から受信されたＲＦ変調された信号を電力増幅し、前記複数のアンテナから送信するために増幅されたＲＦ変調された信号を発生する手段と、
前記複数のアンテナから受信されたＲＦ入力信号を低雑音増幅し、前記信号処理を実行する手段に送信するために増幅されたＲＦ入力信号を発生する手段であって、前記電力増幅する手段と前記低雑音増幅する手段は前記信号処理を実行する手段とは分離されている、手段と、
を備えたステーション。
【請求項２８】
前記信号処理を実行する手段を前記電力増幅する手段および前記低雑音増幅する手段に接続する手段をさらに備えた、請求項２７の装置。
【請求項２９】
トランシーバーモジュールにおいて、
各トランシーバーは、少なくとも１つのアンテナの関連するセットを介して送受信される無線周波数（ＲＦ）信号のための信号処理を実行する第１および第２のトランシーバーと、
ベースバンドとＲＦとの間の周波数変換のために前記第１および第２のトランシーバーにより使用される局部発振器（ＬＯ）信号を発生するための発振器と、
前記発振器から前記ＬＯ信号を受信し、前記トランシーバーモジュールからの前記ＬＯ信号を駆動するためのドライバーと、
を備えたトランシーバーモジュール。
【請求項３０】
外部ＬＯ信号を受信し、ベースバンドとＲＦとの間の周波数変換のために前記第１および第２のトランシーバーにより使用されるバッファーされたＬＯ信号を供給するバッファーをさらに備えた請求項２９のトランシーバーモジュール。
【請求項３１】
前記バッファーが前記外部ＬＯ信号を受信しているなら前記発振器はディスエーブルされる、請求項３０のトランシーバーモジュール。
【請求項３２】
所定周波数で前記ＬＯ信号を発生するように前記発振器を制御する位相ロックループ（ＰＬＬ）をさらに備えた、請求項２９のトランシーバーモジュール。
【請求項３３】
単一の集積回路（ＩＣ）ダイ上に作られた請求項２９のトランシーバーモジュール。
【請求項３４】
トランシーバーモジュールにおいて、
少なくとも２つのアンテナを介して送受信される無線周波数（ＲＦ）信号のために信号処理を実行する手段と、
ベースバンドとＲＦとの間の周波数変換のために使用される局部発振器（ＬＯ）信号を発生する手段と、
前記トランシーバーモジュールからの前記ＬＯ信号を駆動する手段と、
を備えたトランシーバーモジュール。
【請求項３５】
外部ＬＯ信号をバッファリングしベースバンドとＲＦとの間の周波数変換のために使用されるバッファーされたＬＯ信号を供給する手段をさらに備えた、請求項３４のトランシーバーモジュール。
【請求項３６】
前記外部ＬＯ信号を受信したなら前記ＬＯ信号を発生する手段をディスエーブルする手段をさらに備えた、請求項３５のトランシーバーモジュール。
【発明の詳細な説明】
【技術分野】
【０００１】
この発明は一般的にエレクトロニクスに関し、特に無線マルチアンテナステーションに関する。
【背景技術】
【０００２】
マルチ入力マルチ出力（ＭＩＭＯ）通信システムは、データ送信のために送信ステーションにおいて複数（Ｔ）の送信アンテナを採用し、受信ステーションにおいて複数（Ｒ）の受信アンテナを採用する。Ｔの送信アンテナとＲの受信アンテナにより形成されるＭＩＭＯチャネルはＳの空間チャネルに分解されてもよい。但しＳ≦ｍｉｎ｛Ｔ，Ｒ｝である。Ｓの空間チャネルはデータを並列に送信しより高いスループットを達成し、より大きな信頼性を重複して達成するために使用されてもよい。
【０００３】
マルチアンテナステーションは、データの送受信のために使用されてもよい複数のアンテナを備えている。各アンテナは典型的に、（１）ベースバンド出力信号を処理しアンテナを介した送信に適した無線周波数（ＲＦ）出力信号を発生するための送信回路と、（２）アンテナを介して受信されたＲＦ入力信号を処理し、ベースバンド入力信号を発生するために使用される受信回路を含むトランシーバーに関連する。また、マルチアンテナステーションは送受信のためにデータを処理するためのデジタル回路を有する。
【０００４】
マルチアンテナステーションのアンテナは種々の理由でトランシーバーの近くに位置していなくてもよい。例えば、（１）空間チャネルをできるだけ非相関させるためにおよび（２）ＲＦ入力信号の良好な受信とＲＦ出力信号の送信を獲得するためにアンテナを異なるロケーションにおよび／または十分な距離間隔を有して配置することが望ましい。他の例として、アンテナをその関連するトランシーバーの近くに配置することができないようにマルチアンテナステーションを設計してもよい。どんな場合でも、アンテナがトランシーバーの近くに配置されてないなら、アンテナをトランシーバーに接続するために相対的に長いＲＦケーブルまたは送信線が必要となる。かなりの量の信号損失は、アンテナとトランシーバーの間の長い接続に起因してもよい。この信号の損失は、受信パス上の受信機雑音指数を増加させ、送信パス上の送信電力レベルを低下させる。これらの作用はシステムをより少ない電力効率にし性能を劣化させる。
【０００５】
それゆえ、アンテナをトランシーバーに接続するための技術的必要性がある。
【発明の概要】
【０００６】
この特許出願は、この特許出願の譲受人に譲渡され、参照することにより明示的に本明細書に組み込まれる、２００４年１０月４日に出願された、「マルチアンテナステーションのためのリモートフロントエンド」(Remote Front-End for a Multi-Antenna Station)というタイトルの米国仮出願シリアル番号第６０／６１５、８９１の優先権を主張する。
【０００７】
複数のアンテナをマルチアンテナステーション内の複数のトランシーバーに接続するための技術が本明細書に記載される。この発明の一実施形態によれば、複数のトランシーバーと複数のリモートフロントエンドを含む複数のアンテナを備えたステーションが記載される。各トランシーバーは、関連するアンテナを介して送受信されたＲＦ信号の信号処理を実行する。各リモートフロントエンドは関連するトランシーバーと関連するアンテナに接続し、関連するトランシーバーから受信された第１のＲＦ信号を増幅し関連するアンテナから送信するために第１の増幅されたＲＦ信号を発生し、さらに関連するアンテナから受信された第２のＲＦ信号を増幅し、関連するトランシーバーに送信するために第２の増幅されたＲＦ信号を発生する。
【０００８】
他の実施形態によれば、アンテナを介して送受信されるＲＦ信号のために信号処理を実行する手段と、信号処理を実行する手段から受信したＲＦ変調された信号を電力増幅し、アンテナから送信するために増幅されたＲＦ変調された信号を発生する手段と、アンテナから受信したＲＦ入力信号を低雑音増幅し、信号処理を実行する手段に送信するために増幅されたＲＦ入力信号を発生する手段とを含む複数のアンテナを備えたステーションが記載される。電力増幅のための手段および低雑音増幅のための手段は信号処理を実行する手段とは別個である。
【０００９】
さらに他の実施形態によれば、第１および第２の増幅器と第１および第２のカップリングユニットを含む、アンテナを備えたステーションとともに使用するのに適した装置が記載される。第１の増幅器は第１の無線周波数（ＲＦ）信号を受信して増幅し第１の増幅されたＲＦ信号を供給する。第２の増幅器は第２のＲＦ信号を受信して増幅し第２の増幅されたＲＦ信号を供給する。第１のカップリングユニットは第１のポートからの第１のＲＦ信号を第１の増幅器に接続し、第２の増幅器からの第２の増幅されたＲＦ信号を第１のポートに接続する。第２のカップリングユニットは第１の増幅器からの第１の増幅されたＲＦ信号を第２のポートに接続し、第２のポートからの第２のＲＦ信号を第２の増幅器に接続する。
【００１０】
さらに他の実施形態によれば、複数のアンテナを備えたステーションとともに使用するのに適した装置が記載される。この装置は、第１のＲＦ信号を増幅して第１の増幅されたＲＦ信号を発生する手段と、第２のＲＦ信号を増幅して第２の増幅されたＲＦ信号を発生する手段と、第１のポートからの第１のＲＦ信号を増幅する手段に接続する手段と、第１の増幅されたＲＦ信号を第２のポートに接続する手段と、第２のポートからの第２のＲＦ信号を、第２のＲＦ信号を増幅する手段に接続する手段と、第２の増幅されたＲＦ信号を第１のポートに接続する手段とを含む。
【００１１】
さらに他の実施形態によれば、第１および第２のトランシーバー、発振器、ドライバーを含む、複数のアンテナを備えたステーションに使用するためのトランシーバーモジュールが記載される。各トランシーバーは少なくとも１つのアンテナの関連するセットを介して送受信されるＲＦ信号のための信号処理を実行する。発振器は、ベースバンドとＲＦとの間の周波数変換のための第１および第２のトランシーバーにより使用される局部発振器（ＬＯ）信号を発生する。ドライバーは発振器からＬＯ信号を受信しトランシーバーモジュールからのＬＯ信号を駆動する。
【００１２】
さらに他の実施形態によれば、複数のアンテナを備えたステーションに使用するためのトランシーバーモジュールが記載される。このトランシーバーモジュールは、少なくとも２つのアンテナを介して送受信されるＲＦ信号のための信号処理を実行する手段と、ベースバンドとＲＦとの間の周波数変換に使用されるＬＯ信号を発生する手段と、トランシーバーモジュールからＬＯ信号を駆動する手段を含む。
【００１３】
この発明の種々の観点と実施形態は以下にさらに詳細に記載される。
【図面の簡単な説明】
【００１４】
【図１】図１はマルチアンテナステーションを示す。
【図２Ａ】図２Ａは時分割デュプレックス（ＴＤＤ）システムのためのフロントエンドを示す。
【図２Ｂ】図２Ｂは周波数分割デュプレックス（ＦＤＤ）システムのためのリモートフロントエンドを示す。
【図３】図３はリモートフロントエンドをトランシーバーに接続する３つの実施形態を示す。
【図４】図４はリモートフロントエンドをトランシーバーに接続する３つの実施形態を示す。
【図５】図５はリモートフロントエンドをトランシーバーに接続する３つの実施形態を示す。
【図６】図６はケーブルおよびアンテナへのリモートフロントエンドの接続を示す。
【図７】図７は、マルチアンテナステーション内のＭＩＭＯユニットのブロック図を示す。
【図８】図８は２×２トランシーバーモジュールのブロック図を示す。
【図９】図９はトランシーバーモジュール内のトランシーバーのブロック図を示す。
【発明を実施するための形態】
【００１５】
本明細書で使用される「例示的」という用語は「例、インスタンス、または例証として機能する」ということを意味する。「例示的」として本明細書に記載される任意の実施形態は、他の実施形態に対して好適であるとか有利であると必ずしも解釈されるべきでない。
【００１６】
図１はマルチアンテナステーション１００のブロック図を示す。マルチアンテナステーションはＮのアンテナ１５０ａ乃至１５０ｎを備えている。但し、Ｎ≧２である。マルチアンテナステーション１００は無線通信装置、ユーザー端末、テレビジョン、デジタルビデオディスク（ＤＶＤ）プレーヤー、オーディオ／ビデオ（ＡＶ）機器、消費家電製品、その他のデバイスまたは装置であってよい。以下の記載では、文字を有した参照数字（例えば「１５０ａ」）はエレメント、ブロックまたはユニットの実施形態の特定のインスタンスを示す。文字を持たない参照数字（例えば、「１５０」）は、参照数字が使用される文脈に応じて、その参照数字を有するエレメントのすべて（例えば、アンテナ１５０ａ乃至１５０ｎ）またはその参照数字を有するエレメントの任意の１つを示すことができる。
【００１７】
マルチアンテナステーション１００はＭＩＭＯユニット１１０と、それぞれＮのアンテナ１５０ａ乃至１５０ｎのためのＮのリモートフロンエンド（ＲＦＥｓ）１４０ａ乃至１４０ｎを含む。ＭＩＭＯユニット１１０はＭＩＭＯプロセッサー１２０とＮのトランシーバー１３０を含む。ＭＩＭＯプロセッサー１２０はデータ送受信のためのデジタル処理を実行する。Ｎのトランシーバー１３０はＮのアンテナ１５０のためのＲＦ信号に対して信号処理を実行する（例えば、増幅、フィルタリング、周波数アップコンバージョン／ダウンコンバージョン等）。Ｎのトランシーバー１３０はそれぞれケーブル１４２ａ乃至１４２ｎを介してＮのリモートフロントエンド１４０ａ乃至１４０ｎに接続する。リモートフロントエンド１４０ａ乃至１４０ｎはさらにそれぞれケーブル１４４ａ乃至１４４ｎを介してＮのアンテナ１５０ａ乃至１５０ｎに接続する。アンテナ１５０はマルチアンテナステーション１００のデザインに応じて、ＭＩＭＯ１１０に近接して配置されてもよいしまたはある距離離れて配置してもよい。
【００１８】
リモートフロントエンド１４０はトランシーバー１３０から受信されたＲＦ変調された信号を条件づけし（例えば、増幅しフィルターする）アンテナ１５０からの送信のためにＲＦ出力信号を発生する。リモートフロントエンド１４０はまたアンテナ１５０からのＲＦ入力信号を条件づけしトランシーバー１３０のための条件付けされたＲＦ入力信号を発生する。リモートフロントエンド１４０は、リモートフロントエンド１４０とアンテナ１５０との間のケーブル１４４内の信号損失を低減するためにアンテナ１５０にできるだけ近づけて配置される。
【００１９】
リモートフロントエンド１４０は、サポートされるアプリケーション、所望の性能、コスト等のような種々のファクターに応じてオプションであってもよいし、インストールされてもよいしまたはインストールされなくてもよい。リモートフロントエンド１４０はアンテナ１５０とトランシーバー１３０との間の信号損失を低減するためにインストールされてもよい。アンテナとトランシーバーとの間の距離が相対的に長く、サポートされるアプリケーションが高いデータレートを必要とするなら、リモートフロントエンド１４０は望ましいかもしれないしまたは必要となるかもしれない。リモートフロントエンド１４０は、より低いレートのアプリケーションの場合および／またはアンテナ１５０とトランシーバー１３０との間の距離が相対的に短いなら省略してもよい。リモートフロントエンド１４０が省略されるなら、アンテナ１５０はケーブル１４２を介してトランシーバー１３０に直接接続する。
【００２０】
図２Ａは図１のリモートフロントエンド１４０ａ乃至１４０ｎの各々に使用されてもよいリモートフロントエンド１４０ｖの一実施形態のブロック図を示す。リモートフロントエンド１４０ｖは異なる時間に同じ周波数バンドでダウンリンクおよびアップリンク上にデータを送信するＴＤＤ通信システムのために使用されてもよい。例えば、データは各ＴＤＤフレームの第１の部分またはフェーズにおいて一方のリンク（例えば、ダウンリンク）上に送信してもよいし、データは各ＴＤＤフレームの第２の部分において他方のリンク（例えば、アップリンク）上に送信してもよい。第１および第２の部分はスタティックであってもよいしＴＤＤフレーム毎に変化してもよい。
【００２１】
図２Ａに示される実施形態の場合、リモートフロントエンド１４０ｖはスイッチ２１０および２４０、電力増幅器（ＰＡ）２２０、低雑音増幅器（ＬＮＡ）２３０、およびベースバンドフィルター２５０を含む。スイッチ２１０はリモートフロントエンド１４０ｖの第１のポートに接続し、第１のポートはさらにトランシーバー１３０に接続する。フィルター２５０はリモートフロントエンド１４０ｖの第２のポートに接続、第２のポートはさらにアンテナ１５０に接続する。スイッチ２１０および２４０は、マルチアンテナステーション１００によりＲＦ信号が送信されているかまたは受信されているかを示す送信／受信（Ｔ／Ｒ）制御信号を受信する。各スイッチはその入力を送信部分の期間「Ｔ」出力に接続し、受信部分の期間「Ｒ」出力に接続する。送信部分と受信部分はＴ／Ｒ制御信号により示される。スイッチ２１０はリモートフロントエンド１４０ｖがトランシーバー１３０からのＲＦＥ入力信号を受信可能にしＲＦＥ出力信号を単一ポートを介してトランシーバーに送信可能にする。これは、リモートフロントエンド１４０ｖとトランシーバー１３０との間の接続を簡単化する。
【００２２】
送信部分の期間アクティブである送信パスの場合、スイッチ２１０は、第１ポートを介してトランシーバー１３０からＲＦ変調された信号（これはＲＦＥ入力信号である）を受信しこのＲＦＥ入力信号を電力増幅器２２０に送る。電力増幅器２２０は固定のまたは可変の利得でＲＦＥ入力信号を増幅し、所望の出力信号レベルを供給する。スイッチ２４０は、電力増幅器２２０から増幅されたＲＦＥ入力信号を受信しこの信号をフィルター２５０に送る。フィルター２５０は増幅されたＲＦＥ入力信号をフィルターし、帯域外雑音と望ましくない信号成分を除去し第２のポートを介してＲＦ出力信号をアンテナ１５０に供給する。
【００２３】
受信部分の期間アクティブになる受信パスの場合、フィルター２５０は、第２のポートを介してアンテナ１５０からＲＦ入力信号を受信し、このＲＦ入力信号をフィルターし、フィルターされたＲＦ入力信号をスイッチ２４０に供給する。スイッチ２４０はフィルターされたＲＦ入力信号をＬＮＡ２３０に送る。ＬＮＡ２３０信号を増幅する。ＬＮＡ２３０もまた固定のまたは可変の利得を有していてもよく、所望の性能（例えば、所望の雑音指数を持つように）を供給するように設計される。スイッチ２１０はＬＮＡ２３０から（ＲＦＥ出力信号である）増幅されたＲＦ入力信号を受信し、ＲＦＥ出力信号を第１のポートを介してトランシーバー１３０に供給する。
【００２４】
リモートフロントエンド１４０ｖを用いてリモートフロントエンドとトランシーバー１３０との間で送信されたＲＦ信号の低損失を供給してもよい。リモートフロントエンド１４０ｖはまたアンテナ１５０から送信されたＲＦ出力信号のための所望の出力電力レベルを供給するために使用されてもよい。例えば、トランシーバー１３０は、ＲＦＩＣ上で実施されてもよく、リモートフロントエンド１４０ｖに送信されたＲＦ変調された信号のための低いまたは中間の出力電力レベルを供給することができるようにしてもよい。従って、リモートフロントエンド１４０ｖ内の電力増幅器２２０はＲＦ出力信号に対して増幅と高い出力電力レベルを供給してもよい。
【００２５】
電力消費を低減することが可能なときはいつでも、電力増幅器２２０および／またはＬＮＡ２３０はパワーダウンされてもよい。例えば、電力増幅器２２０（および恐らくＬＮＡ２３０）は、マルチアンテナステーション１００がアイドルのときパワーダウンされてもよい。図２Ａに破線で示すように、電力消費をさらに低減するために、電力増幅器２２０はＴ／Ｒ制御信号に基づいて受信部分の期間パワーダウンされてもよいし、ＬＮＡ２３０はＴ／Ｒ制御信号に基づいて送信部分の期間パワーダウンされてもよい。
【００２６】
図２ＢはＦＤＤシステムのために使用されてもよいリモートフロントエンド１３０ｗの一実施形態を示す。ＦＤＤ通信システムは異なる周波数帯域上でダウンリンクとアップリンク上にデータを同時に送信することができる。図２Ｂに示される実施形態の場合、リモートフロントエンド１４０ｗはデュプレクサー２１２、２４２、電力増幅器２２０およびＬＮＡ２３０を含む。送信パスの場合、デュプレクサー２１２は第１のポートを介して受信したＲＦＥ入力信号をフィルターし、フィルターされたＲＦＥ入力信号を電力増幅器２２０に送る。デュプレクサー２４２は電力増幅器２２０からの出力信号をフィルターし、フィルターされた信号をＲＦ出力信号として第２のポートに供給する。受信パスの場合、デュプレクサー２４２は第２のポートを介して受信したＲＦ入力信号をフィルターし、この信号をＬＮＡ２３０に送る。デュプレクサー２１２はＬＮＡ２３０からの出力信号をフィルターしこの信号をＲＦＥ出力信号として第１のポートに供給する。Ｔ／Ｒ制御信号はリモートフロントエンド１４０ｗのために必要ではない。
【００２７】
図２Ａおよび図２Ｂはそれぞれリモートフロントエンド１４０ｖおよび１４０ｗのための特定の設計を示す。一般に、送信パスおよび受信パスはおのおの増幅、フィルター等の１つ以上の段を含んでいてもよい。また、送信パスと受信パスは図２Ａおよび図２Ｂには示されていないより少ない、異なる、および／またはさらなる回路ブロックを含んでいてもよい。例えば、図２Ａのスイッチ２１０は省略してもよいし、ＲＦＥ入力および出力信号は異なるケーブルを介して送信されてもよい。
【００２８】
図２Ａに示される実施形態の場合、リモートフロントエンド１４０ｖは（１）「Ｔ」および「Ｒ」出力ポートの間でスイッチ２１０および２４０をトグルするＴ／Ｒ制御信号、および（２）アクティブ回路、例えば増幅器２２０およびＬＮＡ２３０のためのＤＣ電源を受信する。以下に記載されるように、ＲＦ信号、Ｔ／Ｒ制御信号およびＤＣ電源は種々の方法でリモートフロントエンド１４０ｖに供給されてもよい。
【００２９】
図３はケーブル１４２ｘを介してリモートフロントエンド１４０ｘをトランシーバー１３０ｘに接続するための第１の実施形態を示す。リモートフロントエンド１４０ｘは、図２Ａにおいて上述されたリモートフロントエンド１４０ｖの回路ブロックのすべてを含む。リモートフロントエンド１４０ｘはさらにキャパシター２０２、インダクター２０４および電力制御ユニット２０６を含む。キャパシター２０２はリモートフロントエンド１４０ｘの第１のポートとスイッチ２１０の入力との間を接続する。キャパシター２０２はＲＦＥ入力／出力信号のＡＣカップリングを実行し、またＤＣ電源電圧のＤＣブロッキングを実行する。しばしばＲＦチョークと呼ばれるインダクター２０４はリモートフロントエンド１４０ｘの第１のポートと電力制御ユニット２０６との間で接続する。インダクター２０４は同軸ケーブル３１０を介して受信したＤＣ電源電圧を電力制御ユニット２０６に送り、さらにＲＦブロッキングを実行する。電力制御ユニット２０６はインダクター２０４を介してＤＣ電源電圧を受信し、リモートフロントエンド１４０ｘ内の増幅器２２０、ＬＮＡ２３０、および他のアクティブ回路ブロック（もしあれば）に対して電源電圧を供給する。
【００３０】
トランシーバー１３０ｘにおいて、ＡＣカップリング／ＤＣブロッキングキャパシターは、トランシーバー１３０ｘと同軸ケーブル３１０との間にＲＦ信号を接続する。インダクター３０４は電力ソース３０６からのＤＣ電源電圧を同軸ケーブル３１０に接続する。トランシーバー１３０ｘにおけるキャパシター３０２とインダクター３０４は、それぞれリモートフロントエンド１４０ｘにおけるキャパシター２０２とインダクター２０４と同じ関数を実行する。
【００３１】
図３に示される実施形態の場合、ケーブル１４２ｘは同軸ケーブル３１０とメッセンジャーケーブル３２０を含む。同軸ケーブル３１０は中央コンダクター３１２と外部シールド３１４を有する。中央コンダクター３１２は、トランシーバー１３０ｘとリモートフロントエンド１４０ｘとの間でＲＦ信号並びにＤＣ電源電圧を運ぶ。外部シールド３１４は、トランシーバー１３０ｘとフロントエンド１４０ｘの両方において電子的に接地される。同軸ケーブルは動作周波数において適切なインピーダンス（例えば５０Ωまたは７５Ω）を有するように設計される。メッセンジャーケーブル３２０はＭＩＭＯプロセッサー１２０からリモートフロントエンド１４０ｘにＴ／Ｒ制御信号を運ぶ中央コンダクター３２２を有する。メッセンジャーケーブル３２０は（図３に示すように）同軸ケーブル３１０の外部シールド３１４を共有／利用してもよく、または（図３には示されない）独自のシールドを備えていてもよい。メッセンジャーケーブル３２０はＴ／Ｒ制御信号に対して良好な性能を供給するように設計され、例えばＴ／Ｒ制御信号内のリーディングおよびトレーリング遷移に対して良好な波形忠実度を供給するように設計される。同軸ケーブル３１０およびメッセンジャーケーブル３２０は容易に取扱うために一緒にバンドリングしてもよい。例えば、両方のケーブル３１０および３２０は外部絶縁材料（例えば、プラスチック）でコーティングされてもよい。この場合、唯一つの束ねられたケーブルがリモートフロントエンド１４０ｘをトランシーバー１３０ｘに接続し、必要な信号と電力のすべて、例えば、ＲＦ信号、Ｔ／Ｒ制御信号およびＤＣ電力を運ぶ。
【００３２】
図４はケーブル１４２ｙを介してリモートフロントエンド１４０ｘをトランシーバー１３０ｘに接続するための第２の実施形態を示す。この実施形態の場合、ケーブル１４２ｙは同軸ケーブル４１０と撚線４２０を含む。同軸ケーブル４１０は（１）ＲＦ信号とＤＣ電源を運ぶ中央コンダクター４１２と（２）トランシーバー１３０ｘとリモートフロントエンド１４０ｘの両方において電子的に接地されている外部シールド４１４を有する。撚線４２０はＴ／Ｒ制御信号を運ぶ第１のコンダクター４２２と、トランシーバー１３０ｘおよびリモートフロントエンド１４０ｘの両方において電子的に接地される第２のコンダクター４２４を有する。撚線４２０はＴ／Ｒ制御信号に対して良好な性能を提供する。同軸ケーブルは商業的に入手可能な任意の同軸ケーブルであってもよく、撚線４２０も商業的に入手可能な撚線であってもよい。同軸ケーブル４１０と撚線４２０は容易に取扱うために一緒に束ねられてもよい。例えば、同軸ケーブルと撚線４２０は外部絶縁材料でコーティングされていてもよい。
【００３３】
図５はケーブル１４２ｚを介してリモートフロントエンド１４０ｙをトランシーバー１３０ｙに接続する第３の実施形態を示す。この実施形態の場合、ケーブル１４２ｚは同軸ケーブル４１０と撚線５２０を含む。撚線５２０はＴ／Ｒ制御信号を運ぶ第１のコンダクター５２２と、ＤＣ電源を運ぶ第２のコンダクター５２４と、トランシーバー１３０ｙとリモートフロントエンド１４０ｙの両方において接地されている第３のコンダクター５２６を有する。撚線５２０は、Ｔ／Ｒ制御信号に対して良好な性能を提供し、３つ以上のコンダクターを有する商業的に入手可能な任意の撚線であってよい。同軸ケーブル４１０と撚線５２０は容易に取扱うために一緒に束ねられてもよい。図５に示される実施形態の場合、ＡＣカップリング／ＤＣブロッキングキャパシターおよびＲＦチョークインダクターはトランシーバー１３０ｙとリモートフロントエンド１４０ｙにおいて必要ない。なぜならばＤＣ電源は同軸ケーブル４１０の中央コンダクターの代わりに専用線を介して供給されるからである。
【００３４】
図３乃至図５は信号とＤＣ電力をリモートフロントエンドに送信するための３つの例示実施形態を示す。信号とＤＣ電力は他の方法で送信されてもよい。例えば、単一の同軸ケーブルを用いてＲＦ信号、Ｔ／Ｒ制御信号およびＤＣ電源を送信してもよい。Ｔ／Ｒ制御信号はＤＣ電源電圧の変化、例えばＴ／Ｒ制御信号に対してロジックハイのＶhigh電圧およびＴ／Ｒ制御信号に対してロジックロウのためのＶlow電圧により運ばれてもよい。また、Ｔ／Ｒ制御信号は送信部分および受信部分の開始を示すために送信されたパルスにより運ばれてもよい。例えば、第１の極性および／または第１の幅のパルスは、送信部分の開始で送信してもよいし、第２の極性および／または第２の幅のパルスは、受信部分の開始で送信されてもよい。一般に、各信号は、線、ケーブルまたは許容損失量でその信号を伝搬することができるその他の媒体を介して送信されてもよい。
【００３５】
リモートフロントエンドがインストールされないならＤＣ電源は遮断されてもよい。ＭＩＭＯユニット１１０内の電源３０６内の検出回路はリモートフロントエンドがインストールされているかどうかを検出することができる。この検出はさまざまな方法で達成されてもよい。例えば、消費される電流量を検出してもよい。電流消費が無いということはリモートフロントエンドがインストールされていないこを示すであろう。他の例としてＤＣ電源を運ぶ線のインピーダンスが検出されてもよく、高インピーダンスまたはオープンインピーダンスは、リモートフロントエンドがインストールされていないことを示すだろう。リモートフロントエンドがインストールされていないなら、電源３０６は、ＤＣ電源を遮断することができる。
【００３６】
図６は、リモートフロントエンド１４０ｘをケーブル１４２ｘおよびアンテナ１５０ｘに接続するための実施形態の図を示す。リモートフロントエンド１４０ｘは、第１のポートに対して雌コネクター６２０を有し、第２のポートに対して雄コネクター６３０を有する。ケーブル１４２ｘはリモートフロントエンド１４０ｘの雌コネクター６２０を接続する雄コネクター６１０を有する。リモートフロントエンド１４０ｘの雄コネクター６３０はアンテナ１５０ｘのための雌コネクター６４０に接続する。
【００３７】
図６で示される実施形態の場合、ＲＰ  入力／出力信号のための損失を低減するために、リモートフロントエンド１４０ｘはアンテナ１５０ｘにできるだけ近づけて接続される。コネクター６４０はリモートフロントエンド１４０ｘとアンテナ１５０ｘとの間のケーブル１４４ｘの容積を表してもよい。
【００３８】
（１）第１のポートはコネクター６２０を介してのみケーブル１４２ｘに接続することができる、および（２）第２のポートはコネクター６３０を介してのみアンテナ１５０ｘに接続することができるので、リモートフロントエンド１４０ｘの第１と第２のポートに対して異なるコネクター６２０および６３０を使用することはリモートフロントエンド１４０ｘの逆向きの取り付けを防止する。
【００３９】
リモートフロントエンド１４０ｘの第１のポートと第２のポートのための相補型のコネクター（例えば、雌コネクター６２０および雄コネクター６３０）を使用することは、リモートフロントエンド１４０ｘの任意のインストレーションを可能にする。例えば、より高いデータレートを必要とするアプリケーションに対してより低い損失が所望ならリモートフロントエンド１４０ｘはインストールされてもよい。多かれ少なかれ許容することができるアプリケーションに対してリモートフロントエンド１４０ｘは省略してもよい。この場合、ケーブル１４２ｘはコネクター６１０および６４０を介してアンテナ１５０ｘに直接接続するであろう。
【００４０】
図６は、リモートフロントエンド１４０ｘをケーブル１４２ｘおよびアンテナ１５０ｘに接続するための特定の実施形態を示す。また、他のタイプのコネクターはリモートフロントエンドが所望の接続を達成するために、リモートフロントエンドの逆向きのインストレーションを防止するために、およびリモートフロントエンドの任意のインストレーションを可能にするために使用されてもよい。
【００４１】
図７は、図１のＭＩＭＯユニット１１０の一実施形態である、ＭＩＭＯユニット１１０ｚのブロック図を示す。ＭＩＭＯユニット１１０ｚは４つのアンテナ（Ｎ＝４）をサポートし、ＭＩＭＯプロセッサー１２０ｚと２つの２×２トランシーバーモジュール７１０ａ、７１０ｂを含む。各２×２のトランシーバーモジュール７１０は、２つのアンテナのための２つのトランシーバーを含む。各トランシーバーは１つのアンテナのための送信回路および受信回路を含む。各２×２トランシーバーモジュールは、別個のＩＣダイに作られてもよいし、または複数の２×２のトランシーバーモジュールは同じＩＣダイ上に作られてもよい。ＭＩＭＯプロセッサー１２０ｚは、ベースバンド信号と制御信号のそれぞれのセットを介して各トランシーバーモジュール７１０に接続する。
【００４２】
図８はＭＩＭＯユニット１１０ｚのための２×２トランシーバーモジュール７１０ａおよび７１０ｂの一実施形態のブロック図を示す。この実施形態の場合、トランシーバーモジュール７１０ａは２つのトランシーバー８１０ａ、８１０ｂ、電圧制御発振器（ＶＣＯ）８２０ａ、位相ロックループ（ＰＬＬ）８３０ａ、入力バッファー（Ｂｕｆ）８３２ａ、および出力ドライバー（Ｄｒｉｖ）８３４ａを含む。トランシーバーモジュール７１０ｂは２つのトランシーバー８１０ｃ、８１０ｄ、ＶＣＯ８２０ｂ、ＰＬＬ８３０ｂ、入力バッファー８３２ｂおよび出力ドライバー８３４ｂを含む。各トランシーバー８１０はＭＩＭＯプロセッサー１２０ｚからのベースバンド入力信号を受信して処理し１つのアンテナ１５０のためのＲＦ変調された信号を発生する。また、各トランシーバー８１０は、関連するリモートフロントエンド１４０（または関連するアンテナ１５０からのＲＦ入力信号）からのＲＦＥ出力信号を受信して処理し、ＭＩＭＯプロセッサー１２０ｚのためのベースバンド入力信号を発生する。
【００４３】
４つのアンテナをサポートするためにトランシーバーモジュール７１０ａおよび７１０ｂが使用されるとき、トランシーバーモジュール７１０ａはマスターモジュールとして機能し、トランシーバーモジュール７１０ｂはスレーブモジュールである。トランシーバーモジュール７１０ａ内のＶＣＯ８２０ａおよびＰＬＬ８３０ａはイネーブルとなり、周波数アップコンバージョンおよびダウンコンバージョンのためにすべての４つのトランシーバー８１０ａ乃至８１０ｄにより使用される局部発振器（ＬＯ）信号を発生する。トランシーバーモジュール７１０ｂ内のＶＣＯ８２０ｂおよびＰＬＬ８３０ｂはディスエーブルされ、ドライバー８３４ｂおよびバッファー８３２ａもディスエーブルされ、ドライバー８３４ａおよびバッファー８３２ｂはイネーブルされる。ＶＣＯ８２０ａからのＬＯ信号は、ドライバー８３４ａおよびバッファー８３２ｂを介してスレーブトランシーバーモジュール７１０ｂ内のトランシーバー８１０ｃおよび８１０ｄに供給される。
【００４４】
（より多くのトランシーバーを有するモジュールとは対照的に）２×２のトランシーバーモジュールは異なる数のアンテナを有するマルチアンテナステーションに対して効率的に使用されてもよい。２つのアンテナを備えたマルチアンテナステーションの場合、１つの２×２トランシーバーモジュールのみが必要であり、さらなる回路および必要な回路が浪費されない。この場合、ＶＣＯ８２０とＰＬＬ８３０はイネーブルとなりトランシーバーモジュール内の２つのトランシーバー８１０のためのＬＯ信号を発生し、ドライバー８３４およびバッファー８３２はディスエーブルされる。図７及び図８に示されるマルチアンテナステーションのように４つのアンテナを備えたマルチアンテナステーションの場合、２つの２×２のトランシーバーモジュールは４つのアンテナのために使用されてもよく、ほんの少量の冗長回路は使用されない。
【００４５】
図９は２×２送信モジュール７１０内のトランシーバー８１０の一実施形態のブロック図を示す。各トランシーバー８１０は送信機ユニット（ＴＭＴＲ）９６０および受信機ユニット（ＲＣＶＲ）９８０を含む。送信機ユニットと受信機ユニットは、スーパーヘテロダインアーキテクチャーまたはダイレクトコンバージョンアーキテクチャーを用いて実施されてもよい。スーパーヘテロダインアーキテクチャーの場合、ＲＦとベースバンドとの間の周波数変換は複数のステージで実行される。例えば、一方のステージにおいて、ＲＦから中間周波数（ＩＦ）に変換され、他方のステージにおいてＩＦからベースバンドに変換される。ダイレクトコンバージョンアーキテクチャーの場合、周波数変換は単一のステージで実行される。例えば、ＲＦから直接ベースバンドに変換される。簡単にするために、図９はダイレクトコンバージョンアーキテクチャーを用いて実施される送信機ユニット９６０および受信機ユニット９８０の一実施形態を示す。
【００４６】
送信機ユニット９６０内において、デジタル−アナログ変換器（ＤＡＣ）９６２はＭＩＭＯプロセッサー１２０ｚからのデジタルチップのストリーム（これはベースバンド入力信号である）を受信し、チップをアナログに変換し、アナログベースバンド信号を供給する。次に、フィルター９６４は、アナログベースバンド信号をフィルターし、デジタル−アナログ変換により発生された望ましくない画像を除去し、フィルターされたベースバンド信号を供給する。増幅器（Ａｍｐ）９６６は、フィルターされたベースバンド信号を増幅してバッファーし、増幅されたベースバンド信号を供給する。ミキサー９６８は増幅されたベースバンド信号を用いてＶＣＯ８２０ａからのＴＸ＿ＬＯ信号を変調し、アップコンバートされた信号を供給する。電力増幅器９７０はアップコンバートされた信号を増幅し、ＲＦ変調された信号を供給する。ＲＦ変調された信号はスイッチ（ＳＷ）９７２を介して送られ、１つのアンテナのための関連するリモートフロントエンド１４０に供給される。
【００４７】
受信機ユニット９８０内では、ＬＮＡ９８２は、スイッチ９７２を介して関連するリモートフロントエンド１４０からのＲＦＥ出力信号を受信するか又は関連するアンテナ１５０からのＲＦ入力信号を受信する。ＬＮＡ９８２は受信されたＲＦ信号を増幅し、所望の信号レベルを有する条件づけされた信号を供給する。ミキサー９８４は条件づけされた信号をＶＣＯ８２０ａからのＲＸ＿ＬＯ信号を用いて復調し、ダウンコンバートされた信号を供給する。フィルター９８６はダウンコンバートされた信号をフィルターし、所望の信号成分を通過させ、周波数ダウンコンバージョンプロセスにより発生されるかもしれない雑音および望ましくない信号を除去する。増幅器９８８はフィルターされた信号を増幅しバッファーし、アナログベースバンド信号を供給する。アナログ−デジタル変換器（ＡＤＣ）９９０はアナログベースバンド信号をデジタル化しサンプルのストリーム（これはベースバンド出力信号である）をＭＩＭＯプロセッサー１２０ｚに供給する。
【００４８】
図９は、送信機ユニットと受信機ユニットのための例示設計を示す。この設計の場合、ＤＡＣとＡＤＣはそれぞれ送信機ユニットと受信機ユニットの一部として示される。一般に、送信機ユニットと受信機ユニットは各々１つ以上のステージの増幅器、フィルター、ミキサー等を含んでいてもよい。これは、図９に示される方法とは異なる方法で構成されてもよい。送信機ユニットと受信機ユニットは、それぞれＤＡＣおよびＡＤＣを含んでいてもよく含んでいなくてもよい。
【００４９】
図９はＭＩＭＯプロセッサー１２０ｚの一実施形態を示す。ＭＩＭＯプロセッサー１２０ｚはデータ送信および受信のためにデジタル処理を実行する種々の処理ユニットを含む。ＭＩＭＯプロセッサー１２０ｚ内において、データプロセッサー９１４はエンコーディング、インターリービング、データ送信のためのシンボルマッピングおよびシンボルデマッピング、デインターリービングおよびデータ受信のためのデコーディングを実行する。空間プロセッサー９１６はデータ送信のために空間処理（例えば、ビーム形成、空間多重化等）を実行し、データ受信のために受信機空間処理（例えば、受信機マッチフィルタリング）を実行する。変調器９１８は、例えば直交周波数分割多重化（ＯＦＤＭ）のために変調を実行する。復調器９２０は、例えばＯＦＤＭのために復調を実行する。検出／獲得ユニット９２２は他の送信ステーションから信号を検出し獲得するために処理を実行する。メインコントローラー９３０はマルチアンテナステーション１００内の種々の処理ユニットの動作を制御し、トランシーバー８１０およびリモートフロントエンド１４０のための種々の制御信号を発生する。例えば、メインコントローラー９３０はリモートフロントエンド１４０のためにＴ／Ｒ制御信号を発生してもよい。電力コントローラー９３２は、マルチアンテナステーション１００のための電力管理を実行する。例えば、電力コントローラー９３２は、ＤＣ電力をリモートフロントエンドに送信すべきか否かを決定してもよい。ランダムアクセスメモリ（ＲＡＭ）とリードオンリメモリ（ＲＯＭ）９１２は、ＭＩＭＯプロセッサー１２０ｚ内の種々の処理ユニットにより使用されるデータおよびプログラムコードを記憶する。
【００５０】
明確にするために、上述の記述は各リモートフロントエンドがアンテナに接続され、各トランシーバーは１つのアンテナのためのＲＦ信号を処理する。一般に、各リモートフロントエンドおよび／または各トランシーバーは１つ以上のアンテナのセットに関連していてもよい。リモートフロントエンドまたはトランシーバーが複数のアンテナに関連しているなら、これらのアンテナは、リモートフロントエンドまたはトランシーバーのための単一の（分散された）「アンテナ」として見てもよい。
【００５１】
ここに記載されたリモートフロントエンドとトランシーバーモジュールはＲＦ集積回路（ＲＦＩＣｓ）上で実施されてもよく、ディスクリートコンポーネントを用いて実施されてもよい、等である。例えば、各リモートフロントエンドは、ＲＦＩＣ上で実施されてもよい。各トランシーバーモジュールは１つのＲＦＩＣ上で実施されてもよい。または複数のトランシーバーモジュールは１つのＲＦＩＣ上で、おそらく他の回路とともに実施されてもよい。リモートフロントエンドおよびトランシーバーモジュールは、コンプリメンタリメタルオキサイドセミコンダクター（ＣＭＯＳ）、バイポーラ、バイポーラＣＭＯＳ（Ｂｉ−ＣＭＯＳ）、ガリウムヒ素（ＧａＡｓ）等のようなさまざまな集積回路８ＩＣ）プロセスを用いて作られていてもよい。例えば、各リモートフロントエンドは１つのＧａＡｓ  ＲＦＩＣ上に作られてもよい。ある回路コンポーネント（例えば、インダクター）はＩＣダイ上に印刷されてもよいし、またはマイクロエレクトロメカニカルシステム（ＭＥＭＳ）技術を用いて実施されてもよい。
【００５２】
簡単にするために、リモートフロントエンドおよびトランシーバーモジュールの動作を制御するために使用される制御信号は上述の記載においてＭＩＭＯプロセッサー１２０により発生されるものとして示される。一般に、これらの制御信号は、例えば、特定用途向け集積回路（ＡＳＩＣ）、デジタルシグナルプロセッサー（ＤＳＰ）、デジタルシグナル処理装置（ＤＳＰＤ）、プログラマブル論理装置（ＰＬＤ）、フィールドプログラマブルゲートアレイ（ＦＰＧＡ）、プロセッサー、コントローラー、マイクロコントローラー、マイクロプロセッサー、またはここに記載された機能を実行するように設計されたその他の電子ユニットのようなさまざまなユニットにより発生されてもよい。開示された実施形態の上述の記載は当業者がこの発明を製作または使用可能とするために提供される。これらの実施形態に対する種々の変更は当業者には容易に明白であり、ここに定義される包括的原理はこの発明の精神または範囲を逸脱することなく他の実施形態に適用されてもよい。従って、この発明は、ここに示される実施形態に限定されることを意図したものではなく、ここに開示された原理および新規な特徴と一致する最も広い範囲が許容されるべきである。
【図１】
2010193462.tif 000003
【図２Ａ】
2010193462.tif 000004
【図２Ｂ】
2010193462.tif 000005
【図３】
2010193462.tif 000006
【図４】
2010193462.tif 000007
【図５】
2010193462.tif 000008
【図６】
2010193462.tif 000009
【図７】
2010193462.tif 000010
【図８】
2010193462.tif 000011
【図９】
2010193462.tif 000012
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
複数のアンテナを備えたステーションにおいて、
各トランシーバーが関連するアンテナを介して送受信される無線周波数（ＲＦ）信号に対して信号処理を実行する複数のトランシーバーと、
各リモートフロントエンドは関連するトランシーバーおよび関連するアンテナに接続され、各リモートフロントエンドは前記関連するトランシーバーから受信された第１のＲＦ信号を増幅し、前記関連するアンテナから送信するために第１の増幅されたＲＦ信号を発生し、さらに、前記関連するアンテナから受信された第２のＲＦ信号を増幅し、前記関連するトランシーバーに送信するために第２の増幅されたＲＦ信号を発生する複数のリモートフロントエンドと、
を備えたステーション。
【請求項２】
各ケーブルが１つのトランシーバーを前記関連するリモートフロントエンドに接続する複数のケーブルをさらに備えた、請求項１のステーション。
【請求項３】
前記複数のケーブルの各々は、前記トランシーバーと前記関連するリモートフロントエンドとの間で、前記第１のＲＦ信号と前記第２の増幅されたＲＦ信号を運ぶ第１のケーブルを備えた、請求項２のステーション。
【請求項４】
前記第１のケーブルはさらに前記関連するリモートフロントエンドのためのＤＣ電力を運ぶ、請求項３のステーション。
【請求項５】
前記複数のケーブルの各々はさらに、前記関連したリモートフロントエンドのための少なくとも１つの制御信号を運ぶための第２のケーブルを備えた、請求項３のステーション。
【請求項６】
前記第１および第２のケーブルは一緒に束ねられる、請求項５のステーション。
【請求項７】
前記複数のトランシーバーは対に構成され、各対のトランシーバーは別個のモジュールとして実施される、請求項１のステーション。
【請求項８】
前記各対のトランシーバーのためのモジュールは、前記対内のトランシーバーのための局部発振器（ＬＯ）信号を発生するための発振器を備えた、請求項７のステーション。
【請求項９】
複数のモジュールは複数の対のトランシーバーに対して実施され、１つのモジュールが指定され複数のモジュール内のすべてのトランシーバーのための局部発振器（ＬＯ）信号を発生する、請求項７のステーション。
【請求項１０】
複数のアンテナを備えたステーションにおいて、
前記複数のアンテナを介して送受信される無線周波数（ＲＦ）信号のために信号処理を実行する手段と、
前記信号処理を実行する手段から受信されたＲＦ変調された信号を電力増幅し、前記複数のアンテナから送信するために増幅されたＲＦ変調された信号を発生する手段と、
前記複数のアンテナから受信されたＲＦ入力信号を低雑音増幅し、前記信号処理を実行する手段に送信するために増幅されたＲＦ入力信号を発生する手段であって、前記電力増幅する手段と前記低雑音増幅する手段は前記信号処理を実行する手段とは分離されている、手段と、
を備えたステーション。
【請求項１１】
前記信号処理を実行する手段を前記電力増幅する手段および前記低雑音増幅する手段に接続する手段をさらに備えた、請求項１０の装置。
【請求項１２】
トランシーバーモジュールにおいて、
各トランシーバーは、少なくとも１つのアンテナの関連するセットを介して送受信される無線周波数（ＲＦ）信号のための信号処理を実行する第１および第２のトランシーバーと、
ベースバンドとＲＦとの間の周波数変換のために前記第１および第２のトランシーバーにより使用される局部発振器（ＬＯ）信号を発生するための発振器と、
前記発振器から前記ＬＯ信号を受信し、前記トランシーバーモジュールからの前記ＬＯ信号を駆動するためのドライバーと、
を備えたトランシーバーモジュール。
【請求項１３】
外部ＬＯ信号を受信し、ベースバンドとＲＦとの間の周波数変換のために前記第１および第２のトランシーバーにより使用されるバッファーされたＬＯ信号を供給するバッファーをさらに備えた請求項１２のトランシーバーモジュール。
【請求項１４】
前記バッファーが前記外部ＬＯ信号を受信しているなら前記発振器はディスエーブルされる、請求項１３のトランシーバーモジュール。
【請求項１５】
所定周波数で前記ＬＯ信号を発生するように前記発振器を制御する位相ロックループ（ＰＬＬ）をさらに備えた、請求項１２のトランシーバーモジュール。
【請求項１６】
単一の集積回路（ＩＣ）ダイ上に作られた請求項１２のトランシーバーモジュール。
【請求項１７】
トランシーバーモジュールにおいて、
少なくとも２つのアンテナを介して送受信される無線周波数（ＲＦ）信号のために信号処理を実行する手段と、
ベースバンドとＲＦとの間の周波数変換のために使用される局部発振器（ＬＯ）信号を発生する手段と、
前記トランシーバーモジュールからの前記ＬＯ信号を駆動する手段と、
を備えたトランシーバーモジュール。
【請求項１８】
外部ＬＯ信号をバッファリングしベースバンドとＲＦとの間の周波数変換のために使用されるバッファーされたＬＯ信号を供給する手段をさらに備えた、請求項１７のトランシーバーモジュール。
【請求項１９】
前記外部ＬＯ信号を受信したなら前記ＬＯ信号を発生する手段をディスエーブルする手段をさらに備えた、請求項１８のトランシーバーモジュール。
【手続補正２】
【補正対象書類名】明細書
【補正対象項目名】０００５
【補正方法】変更
【補正の内容】
【０００５】
それゆえ、アンテナをトランシーバーに接続するための技術的必要性がある。
【特許文献１】US2003/134601 A1
【特許文献２】US2004/137854 A1
【特許文献３】DE 101 14 531 A1
【特許文献４】US 2004/033787 A1
【特許文献５】GB 2 354 674 A
【特許文献６】EP 1 111 812 A
【特許文献７】US 5748669 A
【外国語明細書】
2010193462000001.pdf